(57)【要約】      （修正有）【課題】物置ブラケットに設けられる透かし部により、内袋に設けられる補助袋を利用可能になり、且つ枠に内袋を快速に脱着することができる二輪車用物置ブラケットを提供する。【解決手段】枠１０を含み、枠は、上筐体１１と、下筐体１２と、を含み、上筐体の上に開口が設けられ、下筐体の下に底板１３が設けられ、上筐体の端部と下筐体の端部の間には、立設する柱１５がそれぞれ設けられ、少なくとも一つの正面１６と少なくとも一つの背面１７が形成され、これらの柱により端部同士が連結され、端部が上筐体と下筐体の任意の対向点と定義され、枠の背面に連結部４０が設けられ、連結部により車体に物置ブラケットを連結することができ、枠の正面が透かし面であり、透かし面は、前方にある二つの柱と、上筐体と、下筐体と、により囲んで構成され、透かし面に二つ以下のリブ部３０が設けられ、透かし面の大きさはユーザの手が挿通可能な程度である。【選択図】図１
0003159233.tif 000002
【実用新案登録請求の範囲】
【請求項１】
枠を含み、前記枠は、上筐体と、下筐体と、を含み、前記上筐体の上に開口が設けられ、前記下筐体の下に底板が設けられ、
前記上筐体の端部と前記下筐体の端部の間には、立設する柱がそれぞれ設けられ、少なくとも一つの正面と少なくとも一つの背面が形成され、これらの前記柱により端部同士が連結され、前記端部が前記上筐体と前記下筐体の任意の対向点と定義され、
前記枠の背面に連結部が設けられ、前記連結部により車体に物置ブラケットを連結することができ、
前記枠の正面が透かし面であり、前記透かし面は、前方にある二つの前記柱と、前記上筐体と、前記下筐体と、により囲んで構成され、前記透かし面に二つ以下のリブ部が設けられ、前記透かし面の大きさはユーザの手が挿通可能な程度であることを特徴とする、二輪車用物置ブラケット。
【請求項２】
前記上筐体の端部と前記下筐体の端部の間には、更に、第１側面と、第２側面と、が形成され、前記第１側面と前記第２側面も透かし面であることを特徴とする、請求項１に記載の二輪車用物置ブラケット。
【請求項３】
前記底板は外側に突出し円弧形状の断面を有する網であり、前記第１側面と前記第２側面は、前記底板の側面の形状に合せ下に伸びる対応面を有し、前記対応面により前記底板の側面が封止されることを特徴とする、請求項２に記載の二輪車用物置ブラケット。
【請求項４】
前記上筐体と前記下筐体は、互いに対応する楕円形状を呈することを特徴とする、請求項１に記載の二輪車用物置ブラケット。
【請求項５】
前記連結部は、二つの連結ピンと、一つのストリップと、を含み、前記連結ピンは、一端が前記上筐体に連接され、他端が前記下筐体に連接され、二つの前記連結ピンの間に前記ストリップが連接され、前記ストリップに貫通孔が二つ設けられ、前記貫通孔により物置ブラケットを車体に締結することができることを特徴とする、請求項１に記載の二輪車用物置ブラケット。
【請求項６】
更に、前記枠に入れることができる内袋を含むことを特徴とする、請求項１乃至請求項５の何れか１項に記載の二輪車用物置ブラケット。
【請求項７】
前記上筐体には、少なくとも一つの挿入リングが設けられ、前記挿入リングが前記端部同士の連接箇所に設けられ、前記内袋には、前記挿入リングに対応するスリーブが少なくとも一つ設けられ、前記挿入リングに前記スリーブを嵌合することにより前記内袋を前記枠と連結することができることを特徴とする、請求項６に記載の二輪車用物置ブラケット。
【請求項８】
前記枠に磁力吸引部が設けられ、前記内袋には、前記磁力吸引部に対応する磁力具が設けられ、前記磁力吸引部と前記磁力具の磁力による吸引力により、前記内袋を前記枠と連結することができることを特徴とする、請求項６に記載の二輪車用物置ブラケット。
【請求項９】
前記内袋に固定バンドが設けられ、前記固定バンドが前記上筐体を挿通して前記固定バンド同士を連結すると、前記内袋を前記枠と連結することができることを特徴とする、請求項６に記載の二輪車用物置ブラケット。
【請求項１０】
前記内袋の側面には、補助袋が少なくとも一つ形成され、ユーザの手は前記透かし面を通過して前記補助袋を利用することができることを特徴とする、請求項６に記載の二輪車用物置ブラケット。
【考案の詳細な説明】
【技術分野】
【０００１】
本考案は二輪車用物置ブラケットに関し、特に、脱着可能な袋と結合して利用可能な二輪車用物置ブラケットに関するものである。
【背景技術】
【０００２】
二輪車の車体の前方に、又は車体の後方にある載せ台に、荷物を収容する物置ブラケットを設けることが一般である。
【０００３】
身の回りのバッグなどを物置ブラケットに入れることを可能にするために、各種類の物置ブラケットが提案された。例えば特許文献１に提案されたものは、網で作製されたブラケットに、引上げ可能なバッグが入れられ、しかし、このようなバッグの正面および側面に補助袋が設けられるが、前記補助袋がブラケットに遮蔽されるため、バッグ全体を引上げないと、補助袋を利用できず、使用が極めて不便である。
【０００４】
また、特許文献２および特許文献３に提案された「物置ブラケット」は、枠と、宙に浮く内袋と、を含み、このような構成の前記内袋の周縁が開放状態を呈し、前記内袋の周面に設けられる補助袋を利用できる。しかし、前記内袋により重いものが収容される場合には、前記枠が変形し易く、全体の支持力が不足である問題があった。
【０００５】
また、特許文献１の欠点を解決するために、特許文献４および特許文献５の「物置ブラケット」が提案された。このような物置ブラケットは、半分が開放状態を呈する枠と、内袋と、を含み、バンドと係り具により、前記内袋を前記枠と結合することができるが、下記の問題があった。
【０００６】
（１）前記内袋と前記枠の結合強度が不足であり、且つ前記枠の半分が開放状態を呈するため、登坂や坂下がりのときに、前記内袋が前記枠から脱出し易い。
【０００７】
（２）バンドと係り具により、前記内袋を前記枠に結合することが必要であるため、使用が極めて面倒である。
【先行技術文献】
【特許文献】
【０００８】
【特許文献１】日本実用新案Ｓ６３-７９２８４号
【特許文献２】米国特許第４０６６１９６号
【特許文献３】台湾実用新案第３９２６４６号
【特許文献４】オランダ特許第５４４３９Ｃ号
【特許文献５】台湾実用新案第１２２７８７号
【考案の概要】
【考案が解決しようとする課題】
【０００９】
本考案の主な目的は、物置ブラケットに設けられる透かし部により、内袋に設けられる補助袋を利用可能になる二輪車用物置ブラケットを提供することにある。
【００１０】
本考案の次の目的は、枠に内袋を快速に脱着可能な二輪車用物置ブラケットを提供することにある。
【課題を解決するための手段】
【００１１】
本考案の二輪車用物置ブラケットによると、枠を含み、前記枠は、上筐体と、下筐体と、を含み、前記上筐体の上に開口が設けられ、前記下筐体の下に底板が設けられ、前記上筐体の端部と前記下筐体の端部の間には、立設する柱がそれぞれ設けられ、少なくとも一つの正面と少なくとも一つの背面が形成され、これらの前記柱により端部同士が連結され、前記端部が前記上筐体と前記下筐体の任意の対向点と定義され、前記枠の背面に連結部が設けられ、前記連結部により車体に物置ブラケットを連結することができ、前記枠の正面が透かし面であり、前記透かし面は、前方にある二つの前記柱と、前記上筐体と、前記下筐体と、により囲んで構成され、前記透かし面に二つ以下のリブ部が設けられ、前記透かし面の大きさはユーザの手が挿通可能な程度であることを特徴とする。
【００１２】
本考案の二輪車用物置ブラケットによると、前記上筐体の端部と前記下筐体の端部の間には、更に、第１側面と、第２側面と、が形成され、前記第１側面と前記第２側面も透かし面であることを特徴とする。
【００１３】
本考案の二輪車用物置ブラケットによると、前記底板は外側に突出し円弧形状の断面を有する網であり、前記第１側面と前記第２側面は、前記底板の側面の形状に合せ下に伸びる対応面を有し、前記対応面により前記底板の側面が封止されることを特徴とする。
【００１４】
本考案の二輪車用物置ブラケットによると、前記上筐体と前記下筐体は、互いに対応する楕円形状を呈することを特徴とする。
【００１５】
本考案の二輪車用物置ブラケットによると、前記連結部は、二つの連結ピンと、一つのストリップと、を含み、前記連結ピンは、一端が前記上筐体に連接され、他端が前記下筐体に連接され、二つの前記連結ピンの間に前記ストリップが連接され、前記ストリップに貫通孔が二つ設けられ、前記貫通孔により物置ブラケットを車体に締結することができることを特徴とする。
【００１６】
本考案の二輪車用物置ブラケットによると、更に、前記枠に入れることができる内袋を含むことを特徴とする。
【００１７】
本考案の二輪車用物置ブラケットによると、前記上筐体には、少なくとも一つの挿入リングが設けられ、前記挿入リングが前記端部同士の連接箇所に設けられ、前記内袋には、前記挿入リングに対応するスリーブが少なくとも一つ設けられ、前記挿入リングに前記スリーブを嵌合することにより前記内袋を前記枠と連結することができることを特徴とする。
【００１８】
本考案の二輪車用物置ブラケットによると、前記枠に磁力吸引部が設けられ、前記内袋には、前記磁力吸引部に対応する磁力具が設けられ、前記磁力吸引部と前記磁力具の磁力による吸引力により、前記内袋を前記枠と連結することができることを特徴とする。
【００１９】
本考案の二輪車用物置ブラケットによると、前記内袋に固定バンドが設けられ、前記固定バンドが前記上筐体を挿通して前記固定バンド同士を連結すると、前記内袋を前記枠と連結することができることを特徴とする。
【００２０】
本考案の二輪車用物置ブラケットによると、前記内袋の側面には、補助袋が少なくとも一つ形成され、ユーザの手は前記透かし面を通過して前記補助袋を利用することができることを特徴とする。
【考案の効果】
【００２１】
本考案の二輪車用物置ブラケットによれば、物置ブラケットに設けられる透かし部により、内袋に設けられる補助袋を利用可能になり、且つ枠に内袋を快速に脱着することができるという効果を有する。
【図面の簡単な説明】
【００２２】
【図１】本考案の第１実施例の二輪車用物置ブラケットの分解斜視図である。
【図２】本考案の第１実施例の二輪車用物置ブラケットの組合済み状態の斜視図である。
【図３】本考案の第１実施例の二輪車用物置ブラケットが二輪車に組み付けられた状態の模式図である。
【図４】本考案の第１実施例の二輪車用物置ブラケットのリブ部が交差状態を呈することを示す模式図である。
【図５】本考案の第１実施例の二輪車用物置ブラケットのリブ部が直立状態を呈することを示す模式図である。
【図６】本考案の第２実施例の二輪車用物置ブラケットの組合済み状態の斜視図であって、内袋と物置ブラケットの結合方式が磁力を利用することを示す。
【図７】本考案の第３実施例の二輪車用物置ブラケットの分解斜視図である。
【図８】本考案の第４実施例の二輪車用物置ブラケットの分解斜視図である。
【図９】本考案の二輪車用物置ブラケットが快速脱着装置によって二輪車と連結することを示す模式図である。
【考案を実施するための形態】
【００２３】
以下、本考案の実施の形態を図面に基づいて説明する。
【実施例１】
【００２４】
まず、図１乃至図３を参照する。本考案の第１実施例の二輪車用物置ブラケットは、枠１０と、内袋２０と、を含み、枠１０は、上筐体１１と、下筐体１２と、を含む。枠１０が収容空間を有し、内袋２０の正面と側面に少なくとも一つの補助袋２２を設けてもよい。補助袋２２は、内蔵式の補助袋２２ａの設計でもよく、補助袋２２ａの開口にジッパーを設けてもよい。補助袋２２は、外部露出式の補助袋２２ｂの設計でもよい。
【００２５】
上筐体１１の上に開口が設けられ、下筐体１２の下に底板１３が設けられ、上筐体１１の開口から内袋を物置ブラケットに入れることができる。上筐体１１と下筐体１２は、互いに対応する矩形を呈し、互いに対応する四つの端部１４をそれぞれ有する。互いに対応する端部１４同士は、立設する柱１５で連結する。本考案では、端部１４が上筐体１１と下筐体１２の任意の対向点と定義される。柱１５と上筐体１１と下筐体１２により、正面１６、背面１７、第１側面１８及び第２側面１９が形成される。
【００２６】
上筐体１１の端部１４に近接する箇所では、挿入リング１１１がそれぞれ設けられる。内袋２０のエッジには、挿入リング１１１に対応するスリーブ２１が設けられる。スリーブ２１に挿入リング１１１を挿入することにより、内袋２０を物置ブラケットと連結することができ、且つ内袋２０の開口が開放状態になるため、内袋２０に品物を入れることが容易になる。
【００２７】
また、枠１０の正面１６と第１側面１８と第２側面１９が透かし面であり、これらの透かし面は、枠１５と上筐体１１と下筐体１２から構成され、その大きさはユーザの手が挿通可能な程度である。そうすると、内袋２０を引上げずに、内袋２０の正面や側面に設けられた補助袋２２を利用することができる。図４及び図５に示すように、透かし面の間に二つ以下のリブ部３０が設けられ、リブ部３０は任意の透かし面の両側にあるフレームを連結し、前記フレームは、透かし面を構成する、柱１５と、上筐体１１と、下筐体１２と、を指す。リブ部３０は、例えば正面１６、第１側面１８及び第２側面１９の透かし面に、上筐体１１と下筐体１２を連接するものであり、その形態は、交差状態を呈してもいいし、直交状態を呈してもいいし、その他の状態を呈してもよい。リブ部３０の形態は、二輪車の全体のスタイルに合せて設計されてもよい。リブ部３０の数量は内袋２０が外側に突出しない程度の数量であり、そうすると、内袋２０の位置を規制することができると共に、補助袋からの品物の取出しも容易になり、且つリブ部３０の数量が増加するため、枠全体の構造強度が増加する。内袋が入れられていない物置ブラケットにロッド形状を呈する品物を入れるときに、このような品物は、リブ部３０に規制され、透かし面から外部に突出するため、物置ブラケットに収容されることができる。
【００２８】
枠１０の背面１７には、物置ブラケットを車体に連結するための連結部４０が設けられ、連結部４０が枠１０の背面１７の中央に設けられる。連結部４０は、二つの連結ピン４１と、一つのストリップ４２と、を含む。連結ピン４１は、一端が上筐体１１に連接され、他端が下筐体１２に連接され、連結ピン４１が上筐体１１及び下筐体１２と垂直し、二つの連結ピン４１の間にストリップ４２が連接され、ストリップ４２の中央に貫通孔４３が二つ設けられる。二つの貫通孔４３は、縦方向に伸びる長形孔であり、互いに平行する。貫通孔４３により、物置ブラケットを車体に締結することができ、且つ車体に対して物置ブラケットの高さを調整することができ、すなわち、物置ブラケットの高さを適当に調整した後、ネジにより物置ブラケットを車体に締結することができる。
【００２９】
枠１０の底板１３は外側に突出し円弧形状の断面を有する網であり、内袋２０の底面も前記網に合せる円弧形状を呈する。そうすると、物置ブラケットに内袋２０を入れるときに、内袋２０の底面が底板１３とぴったり合うことができる。第１側面１８と第２側面１９は、底板１３の側面の形状に合せ下に伸びる対応面１８１、１９１を有し、対応面１８１、１９１により底板１３の両側が封止される。対応面１８１、１９１が網であるため、対応面１８１、１９１と底板１３により載せ空間が構成され、これにより、物置ブラケットに内袋２０を入れなくても、前記載せ空間により品物を収容することができる。
【００３０】
また、内袋２０の長い辺の中央に固定バンド２３が設けられ、固定バンド２３は、長い段２３１と、短い段２３２と、を含み、長い段２３１と短い段２３２の端部にベルクロ２４が設けられる。長い段２３１と短い段２３２を上筐体１１の下から外側に挿通して折り返すと、上筐体１１が長い段２３１と短い段２３２に巻き付けられ、このとき、ベルクロ２４により長い段２３１と短い段２３２を連結すると、内袋２０が枠１０に連結されるようになる。内袋２０の開口が開放状態を呈するときに、固定バンド２３により内袋２０に入れられた品物が規制される。
【実施例２】
【００３１】
次に、図６を参照する。図６は本考案の第２実施例の二輪車用物置ブラケットの組合済み状態の斜視図であって、内袋と物置ブラケットの結合方式が磁力を利用することを示す。内袋２０の開口では、磁力具２５が設けられ、磁力具２５は、磁石でもいいし、磁力を有するものでもよい。磁力具２５により、物置ブラケットに内袋２０を固定することができる。上筐体１１は、磁力具２５に吸引され可能な金属材料（鉄、コバルト、ニッケルなど）で作製され、且つ上筐体１１の端部１４に近接する箇所では、磁力具２５と吸引する磁力吸引部１１２が設けられる。なお、上筐体１１が磁力具２５に吸引され不能な金属材料で作製される場合には、磁力具２５に吸引され可能な磁力吸引部１１２を上筐体１１に設けてもよい。本実施例では、磁力による吸引力を利用するため、物置ブラケットに内袋２０を固定することができ、且つ内袋２０の開口が開放状態を保持するため、内袋２０に品物を入れることが容易である。また、内袋２０の磁力具２５を互いに吸引することにより、内袋２０の開口を閉めることもできる。
【実施例３】
【００３２】
図７及び図８を参照する。物置ブラケットの上筐体１１と下筐体１２を楕円形、又はその他の何れかの形状にしてもよい。そうすると、物置ブラケットの底板１３と内袋２０の外形は上筐体１１と下筐体１２の形状に合せて変化する。端部１４が上筐体１１と下筐体１２の長い辺の両端に位置し、互いに対応する端部１４同士が柱１５で連結され、柱１５と上筐体１１と下筐体１２により透かし面が形成される。前記透かし面により、補助袋の利用が便利になる。第３実施例では、底板１３が浅いブラケットの形状を呈する。
【実施例４】
【００３３】
第４実施例では、底板１３が板形状を呈し、これらの底板１３は品物の重量を受ける能力が充分である。
【００３４】
一方、物置ブラケットと車体５０の間には、図９に示すように、快速脱着装置６０を設けてもよい。そうすると、車体５０に物置ブラケットを快速に脱着することができ、本考案の物置ブラケットの実用性が更に向上する。
【産業上の利用可能性】
【００３５】
本考案は、物置ブラケットに適用することができる。
【符号の説明】
【００３６】
１０：枠、１１：上筐体、１２：下筐体、１３：底板、１４：端部、１５：柱、１６：正面、１７：背面、１８：第１側面、１９：第２側面、２０：内袋、２１：スリーブ、２２，２２ａ，２２ｂ：補助袋、２３：固定バンド、２４：ベルクロ、２５：磁力具、３０：リブ部、４０：連結部、４１：連接ピン、４２：ストリップ、４３：貫通孔、５０：車体、６０：快速脱着装置、１１１：挿入リング、１１２：磁力吸引部、１８１，１９１：対応面、２３１：長い段、２３２：短い段。
【図１】
0003159233.tif 000003
【図２】
0003159233.tif 000004
【図３】
0003159233.tif 000005
【図４】
0003159233.tif 000006
【図５】
0003159233.tif 000007
【図６】
0003159233.tif 000008
【図７】
0003159233.tif 000009
【図８】
0003159233.tif 000010
【図９】
0003159233.tif 000011